(57)【要約】【課題】ＩＣカードに保存された任意機能を表すメニュー情報が如何なる言語により記述されている場合でも、当該メニュー情報を確実に表示できるようにする。【解決手段】ＵＳＩＭカード３０からＵＳＡＴ機能の機能一覧（メニュー）を読み出す際に、ＵＳＩＭカード３０から使用言語の種別を表す情報（Language Notification）を取得して、この使用言語の種別を携帯端末ＭＳにおいて表示可能なフォントデータに対応する言語種別と比較し、これにより上記ＵＳＩＭカード３０のメニューに使用されている言語の種別が携帯端末ＭＳがフォントデータを所有する言語の種別と一致するか否かを判定する。そして、上記ＵＳＩＭカード３０のメニューに使用されている言語の種別が携帯端末がフォントデータを所有する言語の種別と一致しないと判定された場合に、サーバＳＶから上記メニューに使用されている言語に対応するフォントデータを取得する。【選択図】      図２
2008066984.tif 000002
【特許請求の範囲】
【請求項１】
表示情報を保存したＩＣカードが着脱可能に装着され、かつ通信ネットワークを介してサーバにアクセス可能な携帯端末において、
表示情報を表示するために必要なフォントデータを記憶したメモリと、
前記ＩＣカードから、当該ＩＣカードに保存された表示情報に含まれる文字列の言語種別を表す情報を読み出す手段と、
前記読み出された言語種別を表す情報をもとに、前記表示情報に含まれる文字列を表示するために必要なフォントデータが前記メモリに記憶されているか否かを判定する判定手段と、
前記必要なフォントデータが前記メモリに記憶されていないと前記判定手段が判定した場合に、前記サーバに対し前記通信ネットワークを介してアクセスし、当該サーバから前記必要なフォントデータを取得する取得手段と
を具備することを特徴とする携帯端末。
【請求項２】
表示情報を保存したＩＣカードが着脱可能に装着され、かつ通信ネットワークを介してサーバにアクセス可能な携帯端末において、
表示情報を表示するときに用いるフォントデータを記憶したメモリと、
前記ＩＣカードから、当該ＩＣカードに保存された表示情報に含まれる文字列の言語種別を表す情報を受け取る手段と、
前記受け取った言語種別を表す情報を基づいて、前記表示情報に含まれる文字列を表示するために必要なフォントデータが前記メモリに記憶されているか否かを判定して、前記必要なフォントデータが前記メモリに記憶されていないと判定した場合に、前記サーバに対し前記通信ネットワークを介してアクセスし、当該サーバから前記必要なフォントデータを取得する取得手段と
を具備することを特徴とする携帯端末。
【請求項３】
前記取得手段は、
前記ＩＣカードに記憶された個別識別コードをもとに当該ＩＣカードを発行した通信事業者に対応するサーバを選択する手段と、
前記選択されたサーバに対し前記通信ネットワークを介してアクセスして、当該サーバから前記必要なフォントデータを取得する手段と、
前記取得したフォントデータを前記メモリに記憶する手段と
を備えることを特徴とする請求項１又は２に記載の携帯端末。
【請求項４】
前記取得手段は、前記必要なフォントデータの取得に失敗した場合に、当該フォントデータが取得されるまで一定の時間間隔で前記サーバのアクセスを繰り返すことを特徴とする請求項１乃至３のいずれかに記載の携帯端末。
【発明の詳細な説明】
【技術分野】
【０００１】
この発明は、ＳＩＭ（Subscriber Identity Module）カードやＵＳＩＭ（Universal Subscriber Identity Module）カードに記憶された情報を使用して機器の環境設定を行う携帯端末に関する。
【背景技術】
【０００２】
近年、ＳＩＭカードやＵＳＩＭカードと云ったＩＣカードを装着可能な携帯端末が普及している。ＳＩＭカードはＧＳＭ（Global System for Mobile Communication）標準規格として採用されている小型ＩＣカードであり、フラッシュメモリからなる記憶部と、ＣＰＵ（Central Processing Unit）により構成された中央演算処理部とを備えている。ＵＳＩＭカードは、Ｗ−ＣＤＭＡ（Wideband-Code Division Multiple Access）方式を採用した携帯電話機のように、ＩＭＴ（International Mobile Telecommunication）−２０００の標準規格として採用されているＳＩＭカードの上記互換ＩＣカードである。
【０００３】
ＳＩＭカード又はＵＳＩＭカードの記憶部には、移動体通信無線プロトコルの動作に必要な情報（例えば、無線区間での移動端末制御に用いられる移動機識別番号（ＩＭＳＩ；International Mobile Subscriber Identity）、自局電話番号等の加入者情報、端末位置情報、暗証番号等のセキュリティ情報）、及び各種ユーザ情報（例えば課金情報、電話帳、発着信履歴）が必須情報として保存されている。
【０００４】
また、ＳＩＭカード又はＵＳＩＭカードには、移動通信網からの認証要求に対する認証の値を計算する機能や、ＳＭＳと呼ばれるショートメッセージサービスを利用して電子商取引等を行うアプリケーション（ＳＡＴ；SIM Application Toolkit）、ＵＳＡＴ（USIM Application Toolkit）が任意機能として用意されている。
【０００５】
ユーザは、例えば複数のＳＩＭカード又はＵＳＩＭカードを所有してこれらのカードを選択的に携帯端末に装着することで、１台の携帯端末をビジネス用とプライベート用に使い分けることが可能となる。また、複数のユーザが自分専用のＳＩＭカード又はＵＳＩＭカードを所有している場合には、これらのカードを１台の携帯端末に選択的に装着することで、１台の携帯端末を複数のユーザで共用することが可能となり、利便性が大幅に向上する（例えば、特許文献１を参照）。
【特許文献１】特開２００３−３２４７６８号公報
【発明の開示】
【発明が解決しようとする課題】
【０００６】
ところで、上記ＳＩＭカード又はＵＳＩＭカードを装着すると、携帯端末はGeneric Commandと呼ばれるコマンド群を使用することで、カードから上記移動体通信無線プロトコルの動作に必要な情報や各種ユーザ情報等の必須情報を読み込んで携帯端末の動作環境を設定する。次に、携帯端末の種類によっては、USAT Commandと呼ばれるコマンド群を使用することで、カードからＵＳＡＴ機能のメニュー情報を読み込んで表示器に表示し、この状態でユーザが選択した機能のアプリケーションをカードから読み込んで携帯端末に設定する。
【０００７】
ところが、ＳＩＭカード又はＵＳＩＭカードは多くの国でそれぞれ発行されるため、カードに記憶されている各種情報のうちＵＳＡＴ等の任意機能を表すメニュー情報は、必ずしも英語や日本語などのメジャーな言語により記述されているとは限らない。このため、携帯端末がメジャーな言語を表示するフォントデータしか持っていなければ、ＳＩＭカード又はＵＳＩＭカードからＵＳＡＴ機能を表すメニュー情報を読み込んでもこれを表示することができない。
【０００８】
この発明は上記事情に着目してなされたもので、その目的とするところは、ＩＣカードに保存されたＵＳＡＴ機能を表すメニュー情報が如何なる言語により記述されている場合でも、当該メニュー情報を確実に表示できるようにした携帯端末を提供することにある。
【課題を解決するための手段】
【０００９】
上記目的を達成するためにこの発明の一つの観点は、表示情報を保存したＩＣカードが着脱自在に装着され、かつ通信ネットワークを介してサーバにアクセス可能な携帯端末にあって、上記ＩＣカードから表示情報を読み出す際に、当該ＩＣカードに保存された表示情報に含まれる文字列の言語種別を表す情報を読み出すか又は受け取り、この読み出されるか又は受け取った言語種別を表す情報をもとに、上記表示情報に含まれる文字列を表示するために必要なフォントデータが携帯端末内のメモリに記憶されているか否かを判定する。そして、上記必要なフォントデータが上記メモリに記憶されていないと判定された場合に、上記サーバに対しアクセスして当該サーバから上記必要なフォントデータを取得するように構成したものである。
【発明の効果】
【００１０】
したがってこの発明によれば、ＩＣカードに保存されているメニュー等の表示情報を記述した言語に対応するフォントデータが携帯端末に用意されていない場合でも、該当する言語のフォントデータがサーバからダウンロードされて携帯端末に設定される。このため、ＩＣカードに保存された表示情報の言語が如何なる種類の言語であっても、当該表示情報を携帯端末の表示器に確実に表示することが可能となる。
【発明を実施するための最良の形態】
【００１１】
以下、図面を参照してこの発明の実施形態を説明する。  
図１は、この発明の一実施形態に係わる携帯端末ＭＳとその周辺設備の構成を示すブロック図である。同図において、通信ネットワークＮＷの移動通信基地局（図示せず）から送信された無線信号は、アンテナ１１で受信されたのちアンテナ共用器（ＤＵＰ）１２を介して受信回路（ＲＸ）１３に入力される。受信回路１３は、上記受信された無線信号を周波数シンセサイザ（ＳＹＮ）１４から出力された局部発振信号とミキシングして中間周波信号に周波数変換（ダウンコンバート）する。そして、このダウンコンバートされた中間周波信号を直交復調して受信ベースバンド信号を出力する。なお、上記周波数シンセサイザ１４から発生される局部発振信号の周波数は、制御ユニット２３から出力される制御信号ＳＹＣによって指示される。
【００１２】
上記受信ベースバンド信号はＣＤＭＡ信号処理部１６に入力される。ＣＤＭＡ信号処理部１６はＲＡＫＥ受信機を備える。ＲＡＫＥ受信機では、上記受信ベースバンド信号に含まれる複数のパスがそれぞれ拡散符号により逆拡散処理される。そして、この逆拡散処理された各パスの信号が位相を調停されたのち合成される。かくして、所定の伝送フォーマットの受信パケットデータが得られる。この受信パケットデータは圧縮伸長処理部（以後コンパンダと称する）１７に入力される。
【００１３】
コンパンダ１７は、上記ＣＤＭＡ信号処理部１６から出力された受信パケットデータを多重分離部によりメディアごとに分離する。そして、この分離されたメディアごとのデータに対しそれぞれ復号処理を行う。例えば、受信パケットデータにオーディオデータが含まれていれば、このオーディオデータをスピーチコーデックにより復号する。また受信パケットデータにビデオデータが含まれていれば、このビデオデータをビデオコーデックにより復号する。
【００１４】
上記復号処理により得られたディジタルオーディオ信号はＰＣＭ符号処理部（以後ＰＣＭコーデックと称する）１８に供給される。ＰＣＭコーデック１８は、コンパンダ７から出力されたディジタルオーディオ信号をＰＣＭ復号してアナログオーディオ信号を出力する。このアナログオーディオ信号は、受話増幅器１９にて増幅されたのちスピーカ２０より出力される。
【００１５】
上記コンパンダ１７のビデオコーデックにより復号されたディジタルビデオ信号は制御ユニット２３に入力される。制御ユニット２３は、上記コンパンダ１７から出力されたディジタルビデオ信号を、図示しないビデオＲＡＭを介してディスプレイ２８に表示する。なお、制御ユニット２３は、受信されたビデオデータばかりでなく、図示しないカメラにより撮像されたビデオデータについてもビデオＲＡＭを介してディスプレイ２８に表示する。
【００１６】
また上記コンパンダ１７は、受信パケットデータにメールやアプリケーション等のテキストデータが含まれている場合には、このテキストデータを制御ユニット２３へ出力する。制御ユニット２３は、上記メールやアプリケーション等のテキストデータを記憶ユニット２４に保存する。そして、入力デバイス２７においてユーザが行った表示操作に応じて、記憶ユニット２４から上記テキストデータを読み出し、このテキストデータをディスプレイ２８に表示する。
【００１７】
一方、マイクロホン２１に入力された話者の音声信号は、送話増幅器２２により畚化に必要な適正レベルまで増幅されたのち、ＰＣＭコーデック１８にてＰＣＭ符号化処理が施され、ディジタルオーディオ信号となってコンパンダ１７に入力される。また、図示しないカメラから出力されるビデオ信号は、制御ユニット２３によりディジタル化されてコンパンダ１７に入力される。なお、制御ユニット２３において作成されたメール等のテキストデータやブラウザによる各種要求データも、制御ユニット２３からコンパンダ１７に入力される。
【００１８】
コンパンダ１７は、ＰＣＭコーデック１８から出力されたディジタルオーディオ信号より入力音声のエネルギ量を検出し、この検出結果に基づいて送信データレートを決定する。そして、上記ディジタルオーディオ信号を上記送信データレートに応じたフォーマットの信号に符号化し、これによりオーディオデータを生成する。また、制御ユニット２３から出力されたディジタルビデオ信号を符号化してビデオデータを生成する。そして、これらのオーディオデータ及びビデオデータを多重分離部で所定の伝送フォーマットに従いパケット化し、この送信パケットデータをＣＤＭＡ信号処理部１６へ出力する。なお、制御ユニット２３からメール等のテキストデータが出力された場合にも、このテキストデータを上記送信パケットデータに多重化する。
【００１９】
ＣＤＭＡ信号処理部１６は、上記コンパンダ１７から出力された送信パケットデータに対し、送信チャネルに割り当てられた拡散符号を用いてスペクトラム拡散処理を施す。そして、その出力信号を送信回路（ＴＸ）１５へ出力する。送信回路１５は、上記スペクトラム拡散された信号をＱＰＳＫ（Quadrature Phase Shift Keying）方式等のディジタル変調方式を使用して変調する。そして、この変調により生成された送信信号を、周波数シンセサイザ１４から発生される局部発振信号と合成して無線信号に周波数変換する。そして、制御ユニット２３により指示される送信電力レベルとなるように上記無線信号を高周波増幅する。この増幅された無線信号は、アンテナ共用器１２を介してアンテナ１１に供給され、このアンテナ１１から移動通信基地局へ向けて送信される。  
なお、２６は電源回路であり、バッテリ２５の出力電圧をもとに所定の動作電源電圧Ｖccを生成して各回路部に供給する。バッテリ２５は図示しない充電回路により充電される。
【００２０】
ところで、この携帯端末ＭＳには、カードインタフェース（カードＩ／Ｆ）２９が設けてある。このカードＩ／Ｆ２９には、ＵＳＩＭカード３０が着脱自在に装着される。ＵＳＩＭカード３０には、先に述べたように移動体通信無線プロトコルの動作に必要な情報及び各種ユーザ情報からなる必須情報と、ＵＳＡＴ機能に係わるアプリケーションや制御データ等のＵＳＡＴ機能の情報が記憶されている。
【００２１】
記憶ユニット２４は、例えばフラッシュメモリにより構成される。記憶ユニット２４には、プログラム記憶エリアと、制御データ記憶エリアと、ユーザデータ記憶エリアが設けてある。プログラム記憶エリアには、制御ユニット２３が種々制御処理を実行するためのアプリケーション・プログラムが格納される。制御データ記憶エリアには、携帯端末ＭＳにおいて生成される種々制御データに加え、ＵＳＩＭカード３０から読み込んだ移動機識別番号や加入者情報、端末位置情報、暗証番号等のセキュリティ情報、データ表示用のフォントデータ等が記憶される。ユーザデータ記憶エリアには、携帯端末ＭＳで送受信されたメールや写真などのユーザデータに加え、ＵＳＩＭカード３０から読み込んだ電話帳データや発着信履歴等のデータも記憶される。
【００２２】
制御ユニット２３は例えばマイクロコンピュータを主制御部として備えたもので、この発明に係わる主たる制御機能として、言語種別判定機能２３１と、言語情報取得制御機能２３２とを備えている。  
言語種別判定機能２３１は、ＵＳＡＴコマンドによりＵＳＩＭカード３０からＵＳＡＴ機能の機能一覧（メニュー）を読み出す際に、ＵＳＩＭカード３０から使用言語の種別を表す情報（Language Notification）を取得する。そして、この取得した使用言語の種別を携帯端末ＭＳにおいて表示可能なフォントデータに対応する言語種別と比較し、上記ＵＳＩＭカード３０のメニューに使用されている言語の種別が、携帯端末ＭＳがフォントデータを所有する言語の種別と一致するか否かを判定する。
【００２３】
言語情報取得制御機能２３２は、上記ＵＳＩＭカード３０のメニューに使用されている言語の種別が、携帯端末がフォントデータを所有する言語の種別と一致しないと、上記言語種別判定機能２３１により判定された場合に、通信ネットワークＮＷを介してサーバＳＶに対しアクセスして、当該サーバＳＶから上記メニューの記述に使用されている言語に対応するフォントデータをダウンロードする。
【００２４】
このフォントデータのダウンロードに際し言語情報取得制御機能２３２は、ＵＳＩＭカード３０から読み出した移動機識別番号（ＩＭＳＩ）をもとに当該ＵＳＩＭカード３０を発行した通信事業者が運用するサーバを選択する機能を有する。また、無線品質等の影響によりサーバＳＶのアクセスに失敗するか又はフォントデータのダウンロードに失敗した場合には、一定の時間間隔で予め設定した最大回数だけ上記フォントデータの取得を試みる機能も有する。
【００２５】
次に、以上のように構成された携帯端末ＭＳの動作を説明する。図２は、携帯端末ＭＳとＵＳＩＭカード３０との間の動作シーケンスと、携帯端末ＭＳの制御内容を示す図である。  
ユーザは、これから使おうとする携帯端末ＭＳのカードＩ／Ｆ２９に、自身のＵＳＩＭカード３０を装着する。そして、この状態でステップＳ１０において携帯端末ＭＳの電源を投入する。そうすると、携帯端末ＭＳの電源回路２６から携帯端末ＭＳ内の各回路部に対し動作電源電圧Ｖccが供給されると共に、カードＩ／Ｆ２９を介してＵＳＩＭカード３０に動作電源電圧Ｖccが供給される。
【００２６】
動作状態になると携帯端末ＭＳは、ＵＳＩＭカード３０との間で先ずGeneric Commandsによる必須情報の読み込み処理を以下のように実行する。すなわち、電源が供給されるとＵＳＩＭカード３０は、図２に示すように先ずＵＳＩＭカード３０が備える基本能力、例えばデータの転送ビットレートや転送プロトコルを示す情報ＡＴＲを携帯端末ＭＳへ送信する（ステップＳ１１）。携帯端末ＭＳの制御ユニット２３は、上記ＵＳＩＭカード３０から送られた情報ＡＴＲをもとにＵＳＩＭカード３０の基本能力を認識する。
【００２７】
上記基本能力を認識すると携帯端末ＭＳの制御ユニット２３は、次にＵＳＩＭカード３０が記憶する必須情報を読み込むために、情報要素ごとに読出要求Read EF_xxをＵＳＩＭカード３０に送る。例えば、情報要素が１０個ある場合には、読出要求Read EF_01〜Read EF_10を順次ＵＳＩＭカード３０に送信する（ステップＳ１２〜ステップＳ１４）。ＵＳＩＭカード３０は、上記読出要求Read EF_01〜Read EF_10を受信するごとに、応答データResを携帯端末ＭＳへ送信する（ステップＳ１３〜ステップＳ１５）。かくして、Generic Commandsによる必須データの読み込みがなされる。
【００２８】
次に携帯端末ＭＳの制御ユニット２３は、USAT Commandsによる任意情報の読み込み処理を次のように実行する。すなわち、制御ユニット２３は先ず携帯端末ＭＳにおけるUSAT Commandのサポート能力を表す情報Terminal ProfileをＵＳＩＭカード３０に通知する（ステップＳ１６）。ＵＳＩＭカード３０は上記Terminal Profileを受信すると、その応答Res(9100)を返送する（ステップＳ１７）。続いて制御ユニット２３は、使用言語の種別を問い合わせるコマンドFetchをＵＳＩＭカード３０に送信する（ステップＳ１８）。これに対しＵＳＩＭカード３０は、使用言語の種別を表す情報Language Notificationを携帯端末ＭＳへ返送する（ステップＳ１９）。
【００２９】
携帯端末ＭＳの制御ユニット２３は、上記使用言語の種別を表す情報Language Notificationを受信すると、先ず上記受信した使用言語の種別を携帯端末ＭＳにおいて表示可能なフォントデータに対応する言語種別とステップＳ２１で比較し、上記ＵＳＩＭカード３０のメニューに使用されている言語の種別が、携帯端末ＭＳがフォントデータを所有する言語の種別と一致するか否かを判定する。そして、この結果携帯端末ＭＳがフォントデータを備える言語の中に、上記ＵＳＩＭカード３０に記憶されたメニューの文字列として使用されている言語と一致するものがあれば、制御データはそのまま言語情報の取得処理を終了する。
【００３０】
一方、携帯端末ＭＳがフォントデータを備える言語の中から、上記ＵＳＩＭカード３０に記憶されたメニューの文字列として使用されている言語と一致するものが見付からなかったとする。この場合携帯端末ＭＳの制御ユニット２３は、ステップＳ２２に移行してここで言語情報の取得処理を実行する。
【００３１】
例えば、先にＵＳＩＭカード３０からGeneric Commandsにより読み出した移動機識別番号（ＩＭＳＩ）をもとに当該ＵＳＩＭカード３０を発行した通信事業者が運用するサーバを選択する。そして、この選択したサーバＳＶに対し通信ネットワークＮＷを介してアクセスし、言語情報の取得要求を送信する（ステップＳ２３）。これに対しサーバＳＶは、上記携帯端末ＭＳからの取得要求に対し、要求された言語情報つまりフォントデータをダウンロードする（ステップＳ２４）。携帯端末ＭＳの制御ユニット２３は、上記ダウンロードされたフォントデータをステップＳ２５により受信し、この受信したフォントデータを記憶ユニット２４の制御データ記憶エリアに追加保存する。なお、このとき制御データ記憶エリアのフォントデータ記憶用領域に空がない場合には、例えば過去に使用された履歴のない言語又は予め設定した優先順位の最も低い言語に対応するフォントデータを消去して、これに代わって上記新たなフォントデータを追加保存する。
【００３２】
また、上記サーバＳＶとの間の無線チャネルの品質の劣化等の影響によりサーバＳＶに対するアクセスに失敗するか又はフォントデータのダウンロードに失敗した場合には、一定の時間間隔で予め設定した最大回数だけ上記フォントデータのダウンロードを試みる。したがって、一時的に無線チャネルの品質が劣化した場合でも、必要とする言語に対応するフォントデータを取得することが可能となる。
【００３３】
さらに、サーバＳＶに必要とする言語に対応するフォントデータが用意されていなかったとする。この場合携帯端末ＭＳの制御ユニット２３は、現在無線アクセスしている通信事業者が運用するサーバ、又は予め記憶しておいたサーバの中からサーバの第二候補を選択し、この第二候補のサーバに対しアクセスして必要とする言語に対応するフォントデータの取得を試みる。このようにすることで、必要とする言語に対応するフォントデータをより一層確実に取得することができる。
【００３４】
なお、上記必要とする言語に対応するフォントデータの取得に成功すると、携帯端末ＭＳの制御ユニット２３は、続いてＵＳＩＭカード３０からＵＳＡＴ機能のメニューデータを読み出し、このメニューデータを上記フォントデータを用いてディスプレイ２８に表示する。かくして、ＵＳＡＴ機能のメニューの表示が可能となる。
【００３５】
以上のようにこの実施形態では、ＵＳＩＭカード３０からＵＳＡＴ機能の機能一覧（メニュー）を読み出す際に、ＵＳＩＭカード３０から使用言語の種別を表す情報（Language Notification）を取得して、この使用言語の種別を携帯端末ＭＳにおいて表示可能なフォントデータに対応する言語種別と比較し、これにより上記ＵＳＩＭカード３０のメニューに使用されている言語の種別が携帯端末ＭＳがフォントデータを所有する言語の種別と一致するか否かを判定する。そして、上記ＵＳＩＭカード３０のメニューに使用されている言語の種別が携帯端末がフォントデータを所有する言語の種別と一致しないと判定された場合に、サーバＳＶから上記メニューに使用されている言語に対応するフォントデータを取得するようにしている。
【００３６】
したがって、ＵＳＩＭ３０に保存されているメニュー等の表示情報を記述した言語に対応するフォントデータが携帯端末ＭＳに用意されていない場合でも、該当する言語に対応するフォントデータがサーバＳＶからダウンロードされて携帯端末ＭＳの記憶ユニット２４に追加記憶される。このため、ＵＳＩＭカード３０に保存された表示情報の言語が如何なる種類の言語であっても、当該表示情報を携帯端末ＭＳのディスプレイ２８に確実に表示することが可能となる。
【００３７】
また、言語情報を取得する際に、ＵＳＩＭカード３０からGeneric Commandにより読み出した移動機識別番号（ＩＭＳＩ）をもとに当該ＵＳＩＭカード３０を発行した通信事業者が運用するサーバを選択し、この選択したサーバＳＶに対しアクセスして言語情報を取得するようにしている。したがって、必要とする言語に対応するフォントデータをより確実に取得することができる。
【００３８】
さらに、サーバＳＶとの間の無線チャネルの品質劣化等の影響によりサーバＳＶに対するアクセスに失敗するか又はフォントデータのダウンロードに失敗した場合には、一定の時間間隔で予め設定した最大回数だけ上記フォントデータのダウンロードを試みるようにしている。したがって、一時的に無線チャネルの品質が劣化した場合でも、必要とする言語に対応するフォントデータを取得することが可能となる。
【００３９】
なお、この発明は上記実施形態に限定されるものではない。例えば、前記実施形態ではGeneric Commandsを用いた必須情報の取得処理を終了した後に、USAT Commandによる言語種別の一致判定及び必要とする言語に対応するフォントデータの取得処理を実行するようにした。しかし、それに限らずUSAT Commandによる言語種別の一致判定及び必要とする言語に対応するフォントデータの取得処理を実行したのち、Generic Commandsを用いた必須情報の取得処理を実行するようにしてもよい。
【００４０】
また、前記実施形態では、携帯端末ＭＳの電源投入をトリガとしてGeneric Commandsを用いた必須情報の取得処理と、USAT Commandによる言語種別の一致判定及び必要とする言語に対応するフォントデータの取得処理を実行するようにした。しかし、それに限らず任意のリセット操作等をトリガとして上記各処理を実行するようにしてもよい。
【００４１】
その他、携帯端末の種類とその構成、言語種別の一致判定及び必要とする言語に対応するフォントデータの取得処理の手順とその内容等についても、この発明の要旨を逸脱しない範囲で種々変形して実施できる。  
要するにこの発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【００４２】
【図１】この発明の一実施形態に係わる携帯端末の構成を示すブロック図である。
【図２】図１に示した携帯端末とＵＳＩＭカードとの間の動作シーケンスと、携帯端末ＭＳの制御内容を示す図である。
【符号の説明】
【００４３】
ＭＳ…携帯端末、ＳＶ…サーバ、ＮＷ…通信ネットワーク、１１…アンテナ、１２…アンテナ共用器（ＤＵＰ）、１３…受信回路（ＲＸ）、１４…周波数シンセサイザ（ＳＹＮ）、１５…送信回路（ＴＸ）、１６…ＣＤＭＡ信号処理部、１７…圧縮伸長処理部（コンパンダ）、１８…ＰＣＭ符号処理部（ＰＣＭコーデック）、１９…受話増幅器、２０…スピーカ、２１…マイクロホン、２２…送話増幅器、２３…制御ユニット、２３１…言語種別判定機能、２３２…言語情報取得制御機能、２４…記憶ユニット、２５…バッテリ、２６…電源回路、２７…入力デバイス、２８…ディスプレイ、２９…カードインタフェース（カードＩ／Ｆ）、３０…ＵＳＩＭカード。
【図１】
2008066984.tif 000003
【図２】
2008066984.tif 000004